Podtech/llm-jp-corpus-v4-ja_patent huggingface dataset:
【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
色見本を有するマーカにおいて，マーカ情報部に，色見本が重畳されて設けられたマーカ。
【請求項２】
請求項１において，前記色見本が，前記マーカ情報部の白色領域又は黒領域のいずれか一方に着色が施されて重畳されているマーカ。
【請求項３】
請求項１において，前記色見本が，前記マーカ情報部の白色領域及び黒領域のいずれにも着色が施されて重畳されているマーカ。
【請求項４】
請求項１において，マーカ情報部を形成する二値画像と，色見本を構成する２色以上の色彩パターンを合成して，マーカ情報部に色見本を重畳したマーカ。
【請求項５】
撮像部と，マーカ画像分離部と，マーカ検出部と，物体色計測部と，色見本計測部と色調補正部からなる画像処理装置であって，
マーカ画像分離部は，色見本が重畳されたマーカ情報部からマーカ情報を分離し，
マーカ検出部は，前記分離されたマーカ情報を検出する画像処理装置。
【請求項６】
請求項５において，
画像処理装置は，色見本校正装置を含み，
前記色見本校正装置は，マーカ校正用画像に含まれる，色が既知の色見本（以下「Ａ見本」という。）および色が未知の色見本（以下「Ｂ見本」という。）から，前記Ｂ見本の色を特定し，
前記色調補正部は，撮影対象の物体に付された前記Ｂ見本の撮影色に基づき，前記物体の撮影色補正，物体色を特定する
画像処理装置。
【請求項７】
請求項６において，
前記色見本校正装置は，マーカ校正用画像に含まれるＡ見本に代えて，画像処理装置内に記憶されている，前記Ａ見本の色調補正処理情報から，前記Ｂ見本の色を特定する
画像処理装置。
【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
ＴＮ型液晶を用いた液晶表示パネルの液晶表示制御装置であって、
前記液晶表示パネルのモードを入力するモード入力部を備え、
２以上の波長帯域の光を含むバックライト及び外部入射光を遮る遮光領域と、前記バックライト及び前記外部入射光を透過させる透過領域と、のうち一方を情報表示領域とし、他方を背景領域とすることにより前記液晶表示パネルに情報を表示させ、
第１のモードが入力されると、前記バックライトを非照射とし、前記情報表示領域と前記背景領域とのうち面積が大きい方を前記遮光領域とし、小さい方を前記透過領域として設定する第１の表示制御を行い、
第２のモードが入力されると、前記バックライトを照射とし、前記情報表示領域と前記背景領域とのうち面積が大きい方を前記透過領域とし、小さい方を前記遮光領域として設定する第２の表示制御を行う液晶表示制御装置。
【請求項２】
前記バックライトの光源として白色ＬＥＤを制御する請求項１に記載の液晶表示制御装置。
【請求項３】
前記バックライトの光源として異なる２波長出力を有するＬＥＤを制御する請求項１に記載の液晶表示制御装置。
【請求項４】
前記遮光領域及び前記透過領域を前記液晶表示パネルのドットごとに独立して制御する請求項１から３のいずれか１項に記載の液晶表示制御装置。
【請求項５】
前記液晶表示制御装置は、前記液晶表示制御装置が搭載される電子機器本体の動作状態を示す動作状態情報を表示制御する、請求項１から４のいずれか１項に記載の液晶表示制御装置。
【請求項６】
ＴＮ型液晶を用いた液晶表示パネルと、２以上の波長帯域の光を含むバックライトを制御する表示制御方法であって、
前記バックライト及び外部入射光を遮る遮光領域と、前記バックライト及び前記外部入射光を透過させる透過領域と、のうち一方を情報表示領域とし、他方を背景領域とすることにより前記液晶表示パネルに情報を表示させる表示制御工程であって、
第１のモードが設定されると、前記情報表示領域と前記背景領域とのうち面積が大きい方を前記遮光領域とし、小さい方を前記透過領域として設定し、
第２のモードが設定されると、前記情報表示領域と前記背景領域とのうち面積が大きい方を前記透過領域とし、小さい方を前記遮光領域として設定する表示制御を行う表示制御工程を有する表示制御方法。
【請求項７】
請求項６に記載の表示制御方法を液晶表示装置に実行させる表示制御プログラム。
【請求項８】
請求項７に記載の表示制御プログラムのコンピュータ読み取り可能なコードを記録した非一時的記録媒体。
【手続補正２】
【補正対象書類名】明細書
【補正対象項目名】発明の名称
【補正方法】変更
【補正の内容】
【発明の名称】液晶表示制御装置、表示制御方法、表示制御プログラム、及び非一時的記録媒体
【手続補正３】
【補正対象書類名】明細書
【補正対象項目名】０００１
【補正方法】変更
【補正の内容】
【０００１】
本発明は液晶表示制御装置、表示制御方法、表示制御プログラム、及び非一時的記録媒体に関し、特にＴＮ型液晶表示パネル（ＴＮ：Twisted Nematic）及びバックライト用の光源を用いた液晶表示の視認性を向上させる技術に関する。
【手続補正４】
【補正対象書類名】明細書
【補正対象項目名】０００９
【補正方法】変更
【補正の内容】
【０００９】
本発明はこのような事情に鑑みてなされたもので、ＴＮ型液晶及びバックライト用光源を用い、視認方向による色味変化を目立たなくする液晶表示制御装置及び表示制御方法を提供することを目的とする。また、本発明はそのような表示制御方法を液晶表示装置に実行させる表示制御プログラム、及びその表示制御プログラムのコンピュータ読み取り可能なコードを記録した非一時的記録媒体を提供することを目的とする。
【手続補正５】
【補正対象書類名】明細書
【補正対象項目名】００２０
【補正方法】変更
【補正の内容】
【００２０】
以上説明したように、本発明の液晶表示制御装置、表示制御方法、表示制御プログラム、及び非一時的記録媒体によれば、視認方向による色味変化を目立たなくすることができる。
【手続補正６】
【補正対象書類名】明細書
【補正対象項目名】００２２
【補正方法】変更
【補正の内容】
【００２２】
以下、添付図面を参照しつつ、本発明に係る液晶表示制御装置、表示制御方法、表示制御プログラム、及び非一時的記録媒体の実施形態について、詳細に説明する。
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
組織や細胞の検査や培養に用いられる培養容器であって、
開放された開口部を有する容器本体と、レーザーによって印字可能なレーザー印字層からなる表示部と、を備え、
前記容器本体は、樹脂材料によって構成され、前記レーザー印字層を密封し、
前記樹脂材料は、少なくとも前記レーザー印字層の一方の面を覆う部分が透明であることを特徴とする培養容器。
【請求項２】
前記容器本体に観察部が設けられ、
前記表示部材は、前記観察部と重ならない位置に配置されていることを特徴とする請求項１に記載の培養容器。
【請求項３】
前記レーザー印字層は、レーザー印字によって変色した部分の最大反射率ＲＤｍａｘから前記表示部の白色部分の最小反射率ＲＬｍｉｎを減算したＭＲＤ値が２０％以上または３７．５％以上になることを特徴とする請求項１に記載の培養容器。
【請求項４】
前記容器本体の内側の前記樹脂材料は、全体がポリスチレンであり、
前記容器本体の外側の前記樹脂材料は、少なくとも一部がポリオレフィン系の樹脂材料であることを特徴とする請求項１に記載の培養容器。
【請求項５】
前記容器本体の外側の前記樹脂材料は、少なくとも前記レーザー印字層を覆う部分が前記ポリオレフィン系の樹脂材料であることを特徴とする請求項４に記載の培養容器。
【請求項６】
前記容器本体の外側の前記樹脂材料は、前記レーザー印字層を覆う部分だけが前記ポリオレフィン系の樹脂材料であることを特徴とする請求項５に記載の培養容器。
【請求項７】
前記容器本体の外側の前記樹脂材料は、前記レーザー印字層の外側の面を覆う部分の前記樹脂材料がポリスチレンであり、前記部分の外側の部分の前記樹脂材料が前記ポリオレフィン系の樹脂材料であることを特徴とする請求項４に記載の培養容器。
【手続補正２】
【補正対象書類名】明細書
【補正対象項目名】発明の名称
【補正方法】変更
【補正の内容】
【発明の名称】培養容器
【手続補正書】
【提出日】令和2年1月28日(2020.1.28)
【手続補正１】
【補正対象書類名】特許請求の範囲
【補正対象項目名】全文
【補正方法】変更
【補正の内容】
【特許請求の範囲】
【請求項１】
包装体であって、
吸収性物品と、
前記吸収性物品を個別に包装する包装シートと、
着用者の健康状態を検査するための検査部と、を有し、
前記検査部は、前記着用者の排泄物に含まれる対象成分に応じて前記健康状態を表示し、
前記検査部は、前記包装シートと固定されている又は前記包装シートの一部である、包装体。
【請求項２】
前記検査部は、前記健康状態を表示させるために前記排泄物を接触させる接触部を有し、
前記接触部は、前記包装シートと厚さ方向で重なっている請求項１に記載の包装体。
【請求項３】
前記検査部は、前記健康状態を表示させるために前記排泄物を接触させる接触部を有し、
前記検査部は、前記包装シートの端縁を跨ぐように配置されており、
前記検査部は、前記包装体が開封された状態において前記包装シートの外側へ前記端縁から延出する延出部を有し、
前記接触部は、前記延出部に配置されている請求項１又は２に記載の包装体。
【請求項４】
前記検査部は、前記包装体を開封するために前記包装シートから剥がされるリードテープである請求項１から３のいずれか１項に記載の包装体。
【請求項５】
前記検査部は、指示薬を含み、かつ前記排泄物に含まれる対象成分に応じて前記健康状態を前記指示薬により表示する表示部を有し、
前記表示部の少なくとも一部は、撥水性を有する撥水部に覆われている請求項１から４のいずれか１項に記載の包装体。
【請求項６】
前記表示部が前記撥水部に覆われている状態で、前記健康状態を示す前記指示薬による呈色を視認可能である請求項５に記載の包装体。
【請求項７】
前記検査部は、前記健康状態を表示させるために前記排泄物を接触させる接触部を有し、
前記接触部の一部は、撥水性を有する撥水部に覆われている請求項１から６のいずれか１項に記載の包装体。
【請求項８】
前記検査部は、前記接触部が固定されている本体部を有し、
前記接触部は、前記本体部に固定される第１面と、前記第１面と反対側の面である第２面と、前記第１面と前記第２面とをつなぐ第３面と、を有し、
前記第２面は、前記撥水部により覆われており、前記第３面の少なくとも一部は、前記撥水部から露出している請求項７に記載の包装体。
【請求項９】
前記検査部は、前記包装シートの一部であり、
前記包装シートは、
前記健康状態を表示させるために前記排泄物を接触させる接触部と、
前記排泄物に含まれる対象成分に応じて前記健康状態を表示する表示部と、を有し、
前記接触部及び前記表示部は、前記包装体の開封前において露出しておらず、かつ、前記包装体の開封により露出する請求項１に記載の包装体。
【手続補正書】
【提出日】令和2年8月26日(2020.8.26)
【手続補正１】
【補正対象書類名】特許請求の範囲
【補正対象項目名】全文
【補正方法】変更
【補正の内容】
【特許請求の範囲】
【請求項１】
プロセッサと、メモリと、音声入力装置と、音声出力装置と、表示部を有する対話システムの制御方法であって、
前記プロセッサが、前記音声入力装置から音声入力を受け付けて、音声入力の内容を解析して入力データを生成する入力データ生成ステップと、
前記プロセッサが、予め設定されたシナリオ情報から前記入力データに対応するシナリオを選択して、前記シナリオで指定された出力データを生成する出力データ生成ステップと、
前記プロセッサが、前記入力データの優先度を算出する優先度算出ステップと、
前記プロセッサが、前記出力データを準備中のシナリオの有無を判定する判定ステップと、
前記プロセッサが、前記出力データを生成中の前記シナリオがある場合には、前記優先度に基づいて実行するシナリオの出力方法を変更するシナリオ制御ステップと、
を含むことを特徴とする対話システムの制御方法。
【請求項２】
請求項１に記載の対話システムの制御方法であって、
現在実行中のシナリオを取得する出力内容取得ステップをさらに備え、
前記優先度算出ステップにおいて、前記入力データと現在実行中のシナリオとの関連度を基に優先度を算出することを特徴とする対話システムの制御方法。
【請求項３】
請求項２に記載の対話システムの制御方法であって、
利用状況を解析する利用状況解析ステップをさらに備え、
利用状況の解析結果も加味して優先度を算出することを特徴とする対話システムの制御方法。
【請求項４】
請求項１から請求項３のいずれか一項に記載の対話システムの制御方法であって、
前記シナリオ制御ステップは、
前記出力データを生成中の前記シナリオがある場合には、前回の入力データの優先度と、現在の入力データの優先度を比較して、優先度の高い方のシナリオを実行することを特徴とする対話システムの制御方法。
【請求項５】
請求項１から請求項３のいずれか一項に記載の対話システムの制御方法であって、
前記シナリオ制御ステップは、
前記出力データを生成中の前記シナリオがある場合には、前回の入力データの優先度と、現在の入力データの優先度を比較して、優先度の高い方のシナリオの出力データを優先的に出力することを特徴とする対話システムの制御方法。
【請求項６】
請求項１から請求項３のいずれか一項に記載の対話システムの制御方法であって、
前記シナリオ制御ステップは、
前記出力データを生成中の前記シナリオがある場合には、前回の入力データの優先度と、現在の入力データの優先度を比較して、前記現在の入力データの優先度の方が高い場合には、前回の入力データに対応するシナリオの出力データに、今回の入力データに対応するシナリオの出力データを付加することを特徴とする対話システムの制御方法。
【請求項７】
請求項１から請求項６のいずれか一項に記載の対話システムの制御方法であって、
前記表示部がタッチ入力を受け付けるタッチパネルで構成され、
前記入力データ生成ステップは、
前記タッチ入力の内容を解析して入力データを生成することを特徴とする前記請求項１から請求項６のいずれか一項に記載の対話システムの制御方法。
【請求項８】
プロセッサと、メモリと、音声入力装置と、音声出力装置と、表示部を有する対話システムであって、
前記音声入力装置から音声入力を受け付けて、音声入力の内容を解析して入力データを生成する入力データ生成部と、
予め設定されたシナリオ情報から前記入力データに対応するシナリオを選択して、前記シナリオで指定された出力データを生成する出力部と、
前記入力データの優先度を算出する優先度算出部と、
前記プロセッサが、前記出力データを準備中のシナリオの有無を判定する判定して、前記プロセッサが、前記出力データを生成中の前記シナリオがある場合には、前記優先度に基づいて前記出力部で実行させるシナリオの出力方法を変更するシナリオ制御部と、
を含むことを特徴とする対話システム。
【請求項９】
請求項８に記載の対話システムであって、
現在実行中のシナリオを取得する出力内容取得部をさらに備え、
前記優先度算出部において、前記入力データと現在実行中のシナリオとの関連度を基に優先度を算出することを特徴とする対話システム。
【請求項１０】
請求項９に記載の対話システムであって、
利用状況を解析する利用状況解析部をさらに備え、
利用状況の解析結果も加味して優先度を算出することを特徴とする対話システム。
【請求項１１】
請求項８から請求項１０のいずれか一項に記載の対話システムであって、
前記シナリオ制御部は、
前記出力データを生成中の前記シナリオがある場合には、前回の入力データの優先度と、現在の入力データの優先度を比較して、優先度の高い方のシナリオを前記出力部で実行させることを特徴とする対話システム。
【請求項１２】
請求項８から請求項１０のいずれか一項に記載の対話システムであって、
前記シナリオ制御部は、
前記出力データを生成中の前記シナリオがある場合には、前回の入力データの優先度と、現在の入力データの優先度を比較して、優先度の高い方のシナリオの出力データを前記出力部から優先的に出力させることを特徴とする対話システム。
【請求項１３】
請求項８から請求項１０のいずれか一項に記載の対話システムであって、
前記シナリオ制御部は、
前記出力データを生成中の前記シナリオがある場合には、前回の入力データの優先度と、現在の入力データの優先度を比較して、前記現在の入力データの優先度の方が高い場合には、前記出力部で生成する前回の入力データに対応するシナリオの出力データに、今回の入力データに対応するシナリオの出力データを付加させることを特徴とする対話システム。
【請求項１４】
請求項８から請求項１３のいずれか一項に記載の対話システムであって、
前記表示部がタッチ入力を受け付けるタッチパネルで構成され、
前記入力データ生成部は、
前記タッチ入力の内容を解析して入力データを生成することを特徴とする対話システム。
【請求項１５】
プロセッサと、メモリと、音声入力装置と、音声出力装置と、表示部を有する計算機で対話を実施させるためのプログラムであって、
前記音声入力装置から音声入力を受け付けて、音声入力の内容を解析して入力データを生成する入力データ生成ステップと、
予め設定されたシナリオ情報から前記入力データに対応するシナリオを選択して、前記シナリオで指定された出力データを生成する出力データ生成ステップと、
前記入力データの優先度を算出する優先度算出ステップと、
前記出力データを準備中のシナリオの有無を判定する判定ステップと、
前記出力データを生成中の前記シナリオがある場合には、前記優先度に基づいて実行するシナリオの出力方法を変更するシナリオ制御ステップと、
を前記計算機に実行させるためのプログラム。
【手続補正書】
【提出日】令和2年3月19日(2020.3.19)
【手続補正１】
【補正対象書類名】明細書
【補正対象項目名】００１４
【補正方法】変更
【補正の内容】
【００１４】
【非特許文献１】Psychological demand/decision latitude model  ：Karasek and Theorell（1990）
【非特許文献２】Stress Viewer （model）：by Johanna Paula Monique Fikkert, Haike Jacobs - Language Arts & Disciplines - 2003 - 463 pages
【非特許文献３】1995 Metrical Stress Theory: Principles and case studies. ... Hogg, Richard 1992
【非特許文献４】A Grammar of Old English, volume I: Phonology, Oxford: Basil Blackwall. ...
【非特許文献５】Edge effect and job stress （theory）：Cross-Functional Project Groups in Research and New Product Development; Diversity, Communications, Job Stress, and Outcomes
【非特許文献６】Robert T. Keller The Academy of Management Journal, Vol. 44, No. 3 (Jun., 2001), pp. 547-555
【非特許文献７】Stress moire（theory）：A Water-Bonded, Floating Element Shear-Stress Sensor Using a Geometric Moire Optical Transduction Technique
【非特許文献８】Stephen Horowitz, Tai-An Chen, Venkataraman Chandrasekaran, Ken Tedjojuwono, Louis Cattafesta, Toshikazu Nishida, and Mark Sheplak
【非特許文献９】Interdisciplinary Microsystems Group, PO Box 116250, University of Florida, Gainesville, Florida 32611-6250
【非特許文献１０】Human Performance（model）：Enhancing Human Performance : Background Papers, Stress Management
【非特許文献１１】Authors:Committee on Techniques for the Enhancement of Human Performance, National Research Council
【非特許文献１２】Stress theory and phonology in Old and Middle English    上梨恵子（1994）
【非特許文献１３】Managing Stress : Principles and strategies for Health and Wellbeing by Brian Luke Seaward - Self-Help - 2005 - 590 pages
【非特許文献１４】Lazarus, RS, and Folkman, S. Stress, Appraisal, and Coping. Springer, New York, 1984. Matheny, K.., et al. Stress Coping: A Qualitative and Quantitative ...
【非特許文献１５】Psychological and Biological Approaches to Emotion：by Nancy L. Stein, Bennett Leventhal, Tom Trabasso  -  Psychology  -  1990
【非特許文献１６】Stress, appraisal, and coping. New York: Springer, Lazarus, RS, Kanner, AD, & Folkman, S. (1980).
【非特許文献１７】Emotions: A cognitive-phenomenological analysis. ...
【非特許文献１８】Stress without Distress(1974), Stress of Life(1956)by Hans Hugo Bruno Selye CC
【非特許文献１９】２０１７年１０月３０日応用脳科学コンソーシアム、ＮＩＣＴ脳情報通信融合センター春野雅彦氏
【手続補正２】
【補正対象書類名】明細書
【補正対象項目名】００４４
【補正方法】変更
【補正の内容】
【００４４】
その理由は、本願発明では、個々人の状況を単独にみていくというより、大量の被験者を想定する必要があり、このため、付与箇数の制限を行なうのである。よって本願発明では、下限の箇数でもフラストレーションを起こさないと判定される程度までアイコンが小型化される。換言すれば、本願発明ではアイコンをチェックシートに付与する場合、空間占有率が小となり、付与の自由度が失われるため、付与の自由度を確保するために、アイコン自体が縮小される。これにより、チェックシートに付与したときの空間認識が拡大するからである。
【手続補正３】
【補正対象書類名】明細書
【補正対象項目名】００８４
【補正方法】変更
【補正の内容】
【００８４】
偏差配置は、密集配置ほどではなく、ややエリアにアイコンが偏って集中している状態である。つまり偏差配置はアイコンの分布が偏る場合であり、扁桃体の反応が優先して影響する。新皮質はあとからの修正を余儀なくさせられることから影響が小さい。
【手続補正書】
【提出日】令和2年5月1日(2020.5.1)
【手続補正１】
【補正対象書類名】特許請求の範囲
【補正対象項目名】請求項１
【補正方法】変更
【補正の内容】
【請求項１】
コンピュータ（１００，２００）によって実施され、乗客（Ｐ）が搭乗する車両（ＡＤＶ）の客室（Ｃ）を監視する客室監視方法であって、
少なくとも一つのプロセッサ（６１，２６１）上において、
個々の前記乗客に対する個別の報知が可能な個別提示装置（２０）を、前記客室に搭乗中の前記乗客のそれぞれに関連付けし（Ｓ１０２）、
予め想定された特定行為の内容と当該特定行為の行為者（Ｐｈ）である前記乗客とを認定し（Ｓ１４６）、
前記行為者に関連付けられた前記個別提示装置を用いて、発生している前記特定行為の内容を示しつつ前記特定行為の中止を前記行為者に対して要求する（Ｓ１４７）、
というステップを含む客室監視方法。
【手続補正２】
【補正対象書類名】特許請求の範囲
【補正対象項目名】請求項８
【補正方法】変更
【補正の内容】
【請求項８】
車両（ＡＤＶ）に搭載され、乗客（Ｐ）が搭乗する前記車両の客室（Ｃ）を監視する客室監視装置であって、
個々の前記乗客に対する個別の報知が可能な個別提示装置（２０）を、前記客室に搭乗中の前記乗客のそれぞれに関連付ける関連付け部（７１）と、
予め想定された特定行為の内容と当該特定行為の行為者（Ｐｈ）である前記乗客とを認定する行為認定部（７２）と、
前記行為者に関連付けられた前記個別提示装置を用いて、発生している前記特定行為の内容を示しつつ前記特定行為の中止を前記行為者に対して要求する報知制御部（７３）と、を備える客室監視装置。
【手続補正３】
【補正対象書類名】明細書
【補正対象項目名】０００６
【補正方法】変更
【補正の内容】
【０００６】
上記目的を達成するため、開示された一つの態様は、コンピュータ（１００，２００）によって実施され、乗客（Ｐ）が搭乗する車両（ＡＤＶ）の客室（Ｃ）を監視する客室監視方法であって、少なくとも一つのプロセッサ（６１，２６１）上において、個々の乗客に対する個別の報知が可能な個別提示装置（２０）を、客室に搭乗中の乗客のそれぞれに関連付けし（Ｓ１０２）、予め想定された特定行為の内容と当該特定行為の行為者（Ｐｈ）である乗客とを認定し（Ｓ１４６）、行為者に関連付けられた個別提示装置を用いて、発生している特定行為の内容を示しつつ特定行為の中止を行為者に対して要求する（Ｓ１４７）というステップを含む客室監視方法とされる。
【手続補正４】
【補正対象書類名】明細書
【補正対象項目名】０００７
【補正方法】変更
【補正の内容】
【０００７】
また開示された一つの態様は、車両（ＡＤＶ）に搭載され、乗客（Ｐ）が搭乗する車両の客室（Ｃ）を監視する客室監視装置であって、個々の乗客に対する個別の報知が可能な個別提示装置（２０）を、客室に搭乗中の乗客のそれぞれに関連付ける関連付け部（７１）と、予め想定された特定行為の内容と当該特定行為の行為者（Ｐｈ）である乗客とを認定する行為認定部（７２）と、行為者に関連付けられた個別提示装置を用いて、発生している特定行為の内容を示しつつ特定行為の中止を行為者に対して要求する報知制御部（７３）と、を備える客室監視装置とされる。
【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
圧縮機（２）と、凝縮器（３）と、減圧装置（４）と、蒸発器（３０）と、内部熱交換器（５０、２５０、４５０）とを備え、非共沸混合冷媒を循環させて冷却を行う冷凍サイクル装置（１）であって、
前記蒸発器は、
内部を流れる非共沸混合冷媒と外部を流れる外部流体とを熱交換する上流熱交換部（３５）と、非共沸混合冷媒の流れにおいて前記上流熱交換部よりも下流に設けられ、内部を流れる非共沸混合冷媒と外部を流れる外部流体とを熱交換する下流熱交換部（４５）とを有している熱交換部（１３５）を備え、
前記内部熱交換器は、
前記減圧装置を流出してから前記上流熱交換部に流入するまでの間を流れている非共沸混合冷媒と、前記上流熱交換部を流出してから前記下流熱交換部に流入するまでの間を流れている非共沸混合冷媒とを熱交換する熱交換器であって、前記上流熱交換部を有する上流蒸発器（３１）と前記下流熱交換部を有する下流蒸発器（４１）とにまたがるように前記蒸発器の上部に位置している冷凍サイクル装置。
【請求項２】
前記内部熱交換器（５０）は、内管（５１）と外管（５５）とを備えた二重管である請求項１に記載の冷凍サイクル装置。
【請求項３】
前記内部熱交換器（４５０）は、前記上流熱交換部を流出してから前記下流熱交換部に流入するまでの間を流れている非共沸混合冷媒を冷却する蓄冷材（４５９）を備えている請求項１または請求項２に記載の冷凍サイクル装置。
【請求項４】
前記上流熱交換部は、前記下流熱交換部よりも外部流体の流れの下流に位置している請求項１から請求項３のいずれかに記載の冷凍サイクル装置。
【手続補正２】
【補正対象書類名】明細書
【補正対象項目名】０００７
【補正方法】変更
【補正の内容】
【０００７】
ここに開示された冷凍サイクル装置は、圧縮機（２）と、凝縮器（３）と、減圧装置（４）と、蒸発器（３０）と、内部熱交換器（５０、２５０、４５０）とを備え、非共沸混合冷媒を循環させて冷却を行う冷凍サイクル装置（１）であって、蒸発器は、内部を流れる非共沸混合冷媒と外部を流れる外部流体とを熱交換する上流熱交換部（３５）と、非共沸混合冷媒の流れにおいて上流熱交換部よりも下流に設けられ、内部を流れる非共沸混合冷媒と外部を流れる外部流体とを熱交換する下流熱交換部（４５）とを有している熱交換部（１３５）を備え、内部熱交換器は、減圧装置を流出してから上流熱交換部に流入するまでの間を流れている非共沸混合冷媒と、上流熱交換部を流出してから下流熱交換部に流入するまでの間を流れている非共沸混合冷媒とを熱交換する熱交換器であって、上流熱交換部を有する上流蒸発器（３１）と下流熱交換部を有する下流蒸発器（４１）とにまたがるように蒸発器の上部に位置している。
【手続補正書】
【提出日】令和2年8月25日(2020.8.25)
【手続補正１】
【補正対象書類名】明細書
【補正対象項目名】００３１
【補正方法】変更
【補正の内容】
【００３１】
取得部８０２は、検出部８０１によって検出された特定人物の特徴を取得する。具体的には、たとえば、取得部８０２は、特定人物の画像データから特定人物の顔を特定し、既知の性別年齢推定技術により、特定人物の顔から性別や年齢といった特徴を推定する。この場合、取得部８０２は、レーザー距離計５０５で検出された距離と検出された顔の大きさから特定人物の身長を推定してもよい。また、取得部８０２は、利用者からの操作入力により、目的地点となる店舗の位置情報を取得する。また、取得部８０２は、上述したＳＬＡＭ技術の自己位置推定により、ロボット１０１の現在位置を取得する。
【手続補正２】
【補正対象書類名】明細書
【補正対象項目名】００５４
【補正方法】変更
【補正の内容】
【００５４】
図１２は、迂回経路を示す説明図である。図１２では、買い物客１２０１，１２０２を障害物の一例とする。生成部８０３は、検出部８０１により買い物客１２０１，１２０２を障害物として検出し、生成部８０３により買い物客１２０１，１２０２を迂回する迂回経路ＢＰ１、ＢＰ２を生成する。選択部８１０は、利用者の特徴が該当する、迂回経路ＢＰ１上の領域ＡＲａについての広告情報６０２の値ＡＤａ１の優先度６０５と、迂回経路ＢＰ２上の領域ＡＲｅについての広告情報６０２の優先度６０５と、比較して、優先度６０５が大きい方の迂回経路を選択する。これにより、ロボット１０１は、選択された迂回経路を移動して障害物（買い物客１２０１，１２０２）を回避しつつ、優先度６０５を考慮した迂回経路での広告をおこなうことができる。
【手続補正３】
【補正対象書類名】明細書
【補正対象項目名】００６３
【補正方法】変更
【補正の内容】
【００６３】
そして、ロボット１０１は、検出部８０１により利用者の接近を検出したか否かを判断する（ステップＳ１３０３）。利用者の接近が検出された場合（ステップＳ１３０３：Ｙｅｓ）、ロボット１０１は、取得部８０２により、利用者からの情報提示要求が取得されたか否かを判断する（ステップＳ１３０４）。情報提示要求が取得された場合（ステップＳ１３０４：Ｙｅｓ）、ロボット１０１は、出力部８０５により、情報提示要求に対応する情報を出力する（ステップＳ１３０５）。その後、ロボット１０１は、当該利用者の離脱を検出したか否かを判断する（ステップＳ１３０６）。離脱が検出されていない場合（ステップＳ１３０６：Ｎｏ）、ステップＳ１３０４に戻る。離脱が検出された場合（ステップＳ１３０６：Ｙｅｓ）、ステップＳ１３０３に戻る。
【手続補正４】
【補正対象書類名】明細書
【補正対象項目名】００６７
【補正方法】変更
【補正の内容】
【００６７】
つぎに、ロボット１０１は、取得部８０２により利用者の特徴を取得し（ステップＳ１４０３）、ＳＬＡＭ技術の自己位置推定でロボット１０１の現在位置を取得する（ステップＳ１４０４）。ロボット１０１は、生成部８０３により目的地点までの移動経路Ｒを生成し（ステップＳ１４０５）、調整部８０９により、図９〜図１１に示したような領域調整処理を実行する（ステップＳ１４０６）。領域調整処理（ステップＳ１４０６）の詳細については、図１６で後述する。
【手続補正５】
【補正対象書類名】明細書
【補正対象項目名】００６９
【補正方法】変更
【補正の内容】
【００６９】
ステップＳ１４０９において、移動経路Ｒ上の新たな領域に進入していない場合（ステップＳ１４０９：Ｎｏ）、ロボット１０１は、目的地点に到達したか否かを判断する（ステップＳ１４１１）。目的地点に到達していない場合（ステップＳ１４１１：Ｎｏ）、ロボット１０１は、検出部８０１により、利用者の離脱を検出したか否かを判断する（ステップＳ１４１２）。目的地点に到達した場合（ステップＳ１４１１：Ｙｅｓ）または利用者の離脱を検出した場合（ステップＳ１４１２：Ｙｅｓ）、ロボット１０１は移動を停止して（ステップＳ１４１３）、ステップＳ１３０１に戻る。一方、利用者の離脱を検出していない場合（ステップＳ１４１２：Ｎｏ）、図１６のステップＳ１６０１に移行する。
【手続補正６】
【補正対象書類名】明細書
【補正対象項目名】００７９
【補正方法】変更
【補正の内容】
【００７９】
追従者から目的地点が取得できた場合（ステップＳ１７０６：Ｙｅｓ）、誘導処理（ステップＳ１３０８）に移行する。一方、目的地点を取得できなかった場合（ステップＳ１７０６：Ｎｏ）、ロボット１０１は、取得部８０２により、追従者の特徴を取得し（ステップＳ１７０７）、ステップＳ１４０６で示した領域調整処理（ステップＳ１４０６）を実行する（ステップＳ１７０８）。領域調整処理（ステップＳ１７０８）の実行後、ロボット１０１は、追従者の特徴に従って、帰路上に存在する領域の広告情報６０２を広告情報ＤＢ６００から抽出する（ステップＳ１７０９）。そして、ロボット１０１は、設定部８０８により、出力パラメータ７０３を誘導用の出力パラメータ７０３（ＶＯＬ２，Ｖｘ２，Ｖｙ２）に設定して（ステップＳ１７１０）、ステップＳ１４０８に移行する。
【手続補正７】
【補正対象書類名】図面
【補正対象項目名】図９
【補正方法】変更
【補正の内容】
【図９】
2020003668.tif 000001
【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
レベルを検出すべき物質を含んでいる容器に組み合わせられるように構成されたレベルセンサラベルを備えており、
前記レベルセンサラベル設備は、
前記容器に組み合わせられるように構成された容量構造であって、お互いから所定の距離に位置する２つの別の容量要素として構成された容量構造と、
前記容量構造に電気的に接続された第１の誘導要素設備と、
前記誘導要素設備および前記容量構造に電気的に接続された第２の誘導要素設備と
を含む回路を有し、
前記第１の誘導要素設備と前記第２の誘導要素設備との電気的接続は、コネクタを介した電気的直列接続であり、前記第１の誘導要素設備および前記第２の誘導要素設備は、コネクタ線を介して前記容量構造と電気的に接続している、レベル検出システム。
【請求項２】
前記容器は、流体および固体の物質のうちの一方を含む、請求項１に記載のレベル検出システム。
【請求項３】
前記容量構造は、デジタル容量構造をもたらす水平方向を向いた帯のペアを含んでいる櫛歯状の構造である、請求項１に記載のレベル検出システム。
【請求項４】
前記レベルセンサラベルは、印刷によるレベルセンサラベルである、請求項１に記載のレベル検出システム。
【請求項５】
レベル検出システムを形成する方法であって、
レベルセンサラベルを形成するステップ
を含んでおり、
前記レベルセンサラベルを形成するステップは、
第１の容量要素を印刷することと、
前記第１の容量要素とは別に、前記第１の容量要素から所定の距離だけ離して第２の容量要素を印刷することであって、前記第１の容量要素と第２の容量要素は、容量構造を形成する、印刷することと、
前記容量構造と電気的に接続するよう第１の誘導要素を印刷することと、
前記容量構造を伴う前記第１の誘導要素設備と電気的に接続する配置で第１の誘導要素を印刷することと、
前記容量構造と前記誘導要素との間の電気的接続を印刷することと
を含み、
前記第１の誘導要素設備と前記第２の誘導要素設備との電気的接続は、コネクタを介した電気的直列接続であり、
前記第１の誘導要素設備および前記第２の誘導要素設備は、コネクタ線を介して前記容量構造と電気的に接続している
方法。
【請求項６】
前記レベルセンサラベルから信号を読み取るように構成された読み取り機を形成するステップ、をさらに含む請求項５に記載の方法。
【請求項７】
前記容量構造を容器に組み合わせて配置するステップ
をさらに含み、
前記容量構造によって形成される電気力線が、前記容器の内部の少なくとも一部分を通過する、請求項５に記載の方法。
【請求項８】
前記印刷は、インクジェット式印刷、押し出し式印刷、スクリーン式印刷、グラビア式印刷、エアロゾル式印刷、および３Ｄ式印刷のうちの少なくとも１つである、請求項５に記載の方法。
【請求項９】
前記容量構造および前記誘導要素を導電インク型の材料で印刷することをさらに含む、請求項５に記載の方法。
【手続補正書】
【提出日】令和2年4月30日(2020.4.30)
【手続補正１】
【補正対象書類名】明細書
【補正対象項目名】発明の名称
【補正方法】変更
【補正の内容】
【発明の名称】移動体
【手続補正２】
【補正対象書類名】特許請求の範囲
【補正対象項目名】全文
【補正方法】変更
【補正の内容】
【特許請求の範囲】
【請求項１】
表示システムを有するインストルメントパネルを有する移動体であって、
前記表示システムは、湾曲した表示パネルと、補正回路と、記憶回路と、を有し、
前記表示パネルは、可撓性を有し、
前記表示パネルは、視認される表示領域と、前記表示パネルを折り曲げることで前記表示領域と重なる領域を有する非表示領域を有し、
前記非表示領域は視認されず、
前記記憶回路は、前記表示領域に関する第１の情報および前記非表示領域に関する第２の情報を記憶する機能を有し、
前記補正回路は、前記第１の情報および前記第２の情報に基づいて前記表示領域の画素に書き込むための画像データを生成する機能を有することを特徴とする移動体。
【請求項２】
表示システムを有するインストルメントパネルを有する移動体であって、
前記表示システムは、複数の湾曲した表示パネルと、複数の補正回路と、複数の記憶回路と、を有し、
前記表示パネルは、それぞれ可撓性を有し、
前記表示パネルは、それぞれ、視認される表示領域と、前記表示パネルを折り曲げることで前記表示領域と重なる領域を有する非表示領域を有し、
前記非表示領域は視認されず、
前記記憶回路は、前記表示領域に関する第１の情報および前記非表示領域に関する第２の情報を記憶する機能を有し、
前記補正回路は、前記第１の情報および前記第２の情報に基づいて前記表示領域の画素に書き込むための画像データを生成する機能を有することを特徴とする移動体。
【請求項３】
請求項１または請求項２において、
前記表示パネルは、トランジスタと、前記トランジスタと電気的に接続される有機エレクトロルミネッセンス素子と、を有し、
前記トランジスタは、チャネル形成領域に酸化物半導体を有することを特徴とする移動体。
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
感光体と、
前記感光体を画像情報に応じて露光し、前記感光体に潜像を形成する露光部と、
前記潜像をトナーで現像する現像部と、
前記感光体から記録材へトナー画像を転写する転写部と、
前記感光体の表面移動速度を制御する制御部と、
を有し、記録材にトナー画像を形成する画像形成装置において、
前記制御部は、前記転写部における記録材の移動速度が変化する所定のタイミングに対して所定時間前のタイミングで前記感光体の表面移動速度を変更することを特徴とする画像形成装置。
【請求項２】
前記感光体を駆動するモータを更に有し、
前記制御部は、前記転写部における記録材の移動速度が変化する所定のタイミングに対して所定時間前のタイミングで、前記モータの回転速度を変更することにより、前記感光体の表面移動速度を変更し、前記感光体に形成するトナー画像の副走査方向の倍率を変更することを特徴とする請求項１に記載の画像形成装置。
【請求項３】
前記所定時間は、トナー画像を形成する時に、前記感光体の表面が前記露光部から前記転写部へ移動するのに要する時間であることを特徴とする請求項１又は２に記載の画像形成装置。
【請求項４】
記録材を収容するトレイと、前記トレイから記録材を給紙するフィードローラと、記録材に転写されたトナー画像を記録材に定着する定着部と、を更に有し、
前記定着部は、記録材を挟持搬送する定着ニップ部を形成する一対の回転体を有し、
記録材の先端が前記定着ニップ部に進入するタイミングよりも前のタイミングで、前記制御部は前記感光体の表面移動速度を下げ始めることを特徴とする請求項１乃至３のいずれか１項に記載の画像形成装置。
【請求項５】
記録材の後端が前記フィードローラによって形成されている圧接部を抜けるタイミングよりも前のタイミングで、前記制御部は前記感光体の表面移動速度を下げ始めることを特徴とする請求項４に記載の画像形成装置。
【請求項６】
前記フィードローラと共に前記圧接部を形成するパッドを更に有することを特徴とする請求項５に記載の画像形成装置。
【請求項７】
記録材の面を反転させる反転機構を更に有し、
記録材の両面にトナー画像を形成する場合、記録材の先端が前記定着ニップ部に進入するタイミングよりも前記所定時間前のタイミングから始まる前記感光体の表面移動速度の減速期間の加速度が、記録材の一面目にトナー画像を形成する時と記録材の二面目にトナー画像を形成する時と、で異なることを特徴とする請求項４乃至６のいずれか１項に記載の画像形成装置。
【請求項８】
前記一対の回転体は、筒状のフィルムと加圧ローラであることを特徴とする請求項４乃至７のいずれか１項に記載の画像形成装置。
【請求項９】
前記定着部は、前記フィルムの内面に接触する加熱部材を有することを特徴とする請求項８に記載の画像形成装置。
【請求項１０】
感光体と、
前記感光体を画像情報に応じて露光し、前記感光体に潜像を形成する露光部と、
前記潜像をトナーで現像する現像部と、
前記感光体から記録材へトナー画像を転写する転写部と、
前記露光部による副走査方向の露光間隔を制御する制御部と、
を有し、記録材にトナー画像を形成する画像形成装置において、
前記制御部は、前記転写部における記録材の移動速度が変化する所定のタイミングに対して所定時間前のタイミングで前記露光部による副走査方向の露光間隔を変更することを特徴とする画像形成装置。
【請求項１１】
前記所定時間は、トナー画像を形成する時に、前記感光体の表面が前記露光部から前記転写部へ移動するのに要する時間であることを特徴とする請求項１０に記載の画像形成装置。
【請求項１２】
前記転写部は、前記感光体と共に記録材を挟持するニップ部を形成するローラを有することを特徴とする請求項１乃至１１のいずれか１項に記載の画像形成装置。
【手続補正２】
【補正対象書類名】明細書
【補正対象項目名】０００６
【補正方法】変更
【補正の内容】
【０００６】
給紙部２５は分離パッド２６を圧接させたローラ１２によってトレイ１１上の最上位の記録材Ｐを転写ニップＰｂに供給する。転写ニップＰｂは、感光ドラム１と転写ローラ５とによって形成されている。その記録材Ｐは転写ニップＰｂで挟持搬送され、その搬送過程で転写ローラ５によって感光ドラム１表面からトナー画像が記録材上に転写される。
【手続補正３】
【補正対象書類名】明細書
【補正対象項目名】００３３
【補正方法】変更
【補正の内容】
【００３３】
上記の目的を達成するために、本発明に係る画像形成装置は、
感光体と、
前記感光体を画像情報に応じて露光し、前記感光体に潜像を形成する露光部と、
前記潜像をトナーで現像する現像部と、
前記感光体から記録材へトナー画像を転写する転写部と、
前記感光体の表面移動速度を制御する制御部と、
を有し、記録材にトナー画像を形成する画像形成装置において、
前記制御部は、前記転写部における記録材の移動速度が変化する所定のタイミングに対して所定時間前のタイミングで前記感光体の表面移動速度を変更することを特徴とする。
【手続補正４】
【補正対象書類名】明細書
【補正対象項目名】００３４
【補正方法】変更
【補正の内容】
【００３４】
また、本発明に係る画像形成装置は、
感光体と、
前記感光体を画像情報に応じて露光し、前記感光体に潜像を形成する露光部と、
前記潜像をトナーで現像する現像部と、
前記感光体から記録材へトナー画像を転写する転写部と、
前記露光部による副走査方向の露光間隔を制御する制御部と、
を有し、記録材にトナー画像を形成する画像形成装置において、
前記制御部は、前記転写部における記録材の移動速度が変化する所定のタイミングに対して所定時間前のタイミングで前記露光部による副走査方向の露光間隔を変更することを特徴とする。
【手続補正５】
【補正対象書類名】明細書
【補正対象項目名】００４６
【補正方法】変更
【補正の内容】
【００４６】
パッド方式の給紙部２５のローラ１２は、スタート信号に基づき回転する。このローラ１２は分離パッド（分離部材）２６と協同して、トレイ１１に積載されている記録材Ｐの束から記録材を一枚ずつ分離して装置内に供給する。その記録材Ｐは入口ガイド２８によって転写ニップＰｂに導入される。入口ガイド２８は、記録材Ｐの転写ニップＰｂへの進入を補助するためのガイドである。転写ニップＰｂは、感光ドラム１と、感光ドラムに圧接させた転写ローラ（転写部）５と、によって形成されている。
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
ゲートドライバと、表示部と、選択信号出力回路と、を有する表示装置であって、
前記表示部は、第１の領域と第２の領域と、を有し、
前記第１の領域および前記第２の領域は、それぞれ画素回路と、走査線と、を有し、
前記画素回路は、表示素子を有し、
前記ゲートドライバは、前記走査線と電気的に接続され、
前記走査線は、前記画素回路と電気的に接続され、
前記走査線は、第１の走査信号が与えられる機能を有し、
前記選択信号出力回路は、前記第１の走査信号が与えられる走査線を選択する第１の選択信号を出力する機能を有し、
前記第１の選択信号は、選択された前記走査線に前記第１の走査信号を与える機能を有し、
前記表示素子は、前記第１の走査信号によって表示が更新される機能を有し、
前記第１の領域に含まれる前記表示素子の表示が更新される頻度は、前記第２の領域に含まれる表示素子と異なる表示装置。
【請求項２】
請求項１において、
前記表示素子は、液晶素子を有する表示装置。
【請求項３】
請求項１において、
前記表示素子は、自発光素子を有する表示装置。
【請求項４】
ゲートドライバと、表示部と、選択信号出力回路と、を有する表示装置であって、
前記表示部は、画素回路と、第１の走査線と、第２の走査線と、を有し、
前記画素回路は、第１の表示素子および第２の表示素子を有し、
前記第１の走査線は、第１の走査信号が与えられる機能を有し、
前記第２の走査線は、第２の走査信号が与えられる機能を有し、
前記ゲートドライバは、シフトレジスタ回路と、選択回路とを有し、
前記シフトレジスタ回路は、出力信号を出力する機能を有し、
前記選択信号出力回路は、第１の選択信号および第２の選択信号を出力する機能を有し、
前記選択回路は、前記出力信号、前記第１の選択信号および前記第２の選択信号により、前記第１の走査信号および前記第２の走査信号を生成する機能を有する表示装置。
【請求項５】
請求項４において、
前記表示部は、第１の信号線と、第２の信号線を有し、
前記第１の信号線は、第１の階調信号が与えられる機能を有し、
前記第２の信号線は、第２の階調信号が与えられる機能を有し、
前記第１の走査信号の電圧振幅は、前記第１の階調信号の電圧振幅より大きく、
前記選択回路は、前記出力信号および前記第２の選択信号により、前記第２の走査信号を生成し、
前記第２の走査信号の電圧振幅は、前記第２の階調信号の電圧振幅より大きく、
前記第１の走査信号は、前記第２の走査信号とは異なる電圧振幅を有する表示装置。
【請求項６】
請求項４または請求項５において、
前記選択信号出力回路は、前記第１の選択信号と、前記第２の選択信号を切り替えて出力する機能を有する表示装置。
【請求項７】
信号線と、第１の走査線と、第２の走査線と、画素回路とを有する表示装置であって、
前記画素回路は、第１の回路と、第２の回路と、を有し、
前記第１の回路は、第１の表示素子を有し、
前記第２の回路は、第２の表示素子を有し、
前記信号線は、前記第１の回路に第１の階調信号を与える機能を有し、
前記信号線は、前記第２の回路に第２の階調信号を与える機能を有し、
前記第１の表示素子は、第１の階調を表示する機能を有し、
前記第２の表示素子は、第２の階調を表示する機能を有し、
前記第１の走査線は、第１の電圧および前記第１の電圧より小さい第２の電圧を出力する機能を有し、
前記第２の走査線は、第３の電圧および前記第３の電圧より小さい第４の電圧を出力する機能を有し、
前記第１の階調信号により生成された最大電圧は、前記第１の電圧よりも小さい電圧であり、
前記第１の階調信号により生成された最小電圧は、前記第２の電圧よりも大きい電圧であり、
前記第２の階調信号により生成された最大電圧は、前記第３の電圧よりも小さい電圧であり、
前記第２の階調信号により生成された最小電圧は、前記第４の電圧よりも大きい電圧であり、
前記第１の階調信号により生成された最大電圧は、前記第２の階調信号により生成された最大電圧よりも大きい電圧であり、
前記第１の階調信号により生成された最小電圧は、前記第２の階調信号により生成された最小電圧よりも小さい電圧である表示装置。
【請求項８】
請求項７において
第１の電源線を有し、
前記第１の回路は、前記第１の表示素子と、第１のトランジスタと、第１の容量素子とを有し、
前記第２の回路は、前記第２の表示素子と、第２のトランジスタと、第３のトランジスタと、第４のトランジスタと、を有し、
前記第１の表示素子は、第１の画素電極と、第１の対向電極とを有し、
前記第２の表示素子は、第２の画素電極と、第２の対向電極とを有し、
前記信号線は、前記第１のトランジスタのソースまたはドレインの一方に電気的に接続され、
前記第１のトランジスタのソースまたはドレインの他方は、前記第１の画素電極に電気的に接続され、
前記第１のトランジスタのソースまたはドレインの他方は、前記第１の容量素子の電極の一方に電気的に接続され、
前記第１の容量素子の電極の他方は、前記第１の電源線に電気的に接続され、
前記第１の走査線は、前記第１のトランジスタのゲートに電気的に接続され、
前記信号線は、前記第２のトランジスタのソースまたはドレインの一方に電気的に接続され、
前記第２のトランジスタのソースまたはドレインの他方は、前記第３のトランジスタのゲートに電気的に接続され、
前記第３のトランジスタのソースまたはドレインの一方は、前記第２の画素電極と電気的に接続され、
前記第３のトランジスタのソースまたはドレインの一方は、前記第４のトランジスタのソースまたはドレインの一方に電気的に接続され、
前記第２の走査線は、前記第２のトランジスタのゲートに電気的に接続され、
前記第１の電源線は、前記第４のトランジスタのソースまたはドレインの他方に電気的に接続され、
前記第１の階調信号を、前記第１のトランジスタを介して、前記第１の容量素子の電極の一方に与えている期間に、
前記第１の電源線に与えられる電圧が、前記第４のトランジスタを介して、前記第２の画素電極に与えられる表示装置。
【請求項９】
請求項４または請求項７において、
前記第１の表示素子は、液晶素子を有し、
前記第２の表示素子は、自発光素子を有する表示装置。
【請求項１０】
請求項８において、
前記第１乃至第４のトランジスタは、チャネル形成領域に酸化物半導体を有する表示装置。
【請求項１１】
請求項１乃至１０のいずれか一の表示装置と、
タッチセンサと、
を有する表示モジュール。
【請求項１２】
請求項１乃至１０のいずれか一の表示装置、または請求項９の表示モジュールと、
操作キーまたはバッテリと、
を有する電子機器。